(57)【要約】【課題】カメラ又は望遠鏡などのレンズを搭載した機器において、鏡筒に対してレンズを確実に固定することができ、振動などによってレンズの固定が緩み、レンズの位置ずれが発生することを確実に防止することができるレンズ固定構造を提供する。【解決手段】内筒１０の外周面にねじ溝１１及び内爪１３を設ける。外筒２０の内周面にねじ溝２１及び内爪２３を設け、一端にレンズ押え部２２を設ける。内筒１０の一側の端面にレンズ１を当接させ、外筒２０を被せて回転させることによりねじ溝１１及びねじ溝２１を螺合させる。螺合の最終段階で内爪１３及び外爪２３が係合することで逆方向への回転不可能に内筒１０及び外筒２０を係止するようにし、内筒１０の一側の端面及び外筒２０のレンズ押え部２２の間にレンズ１が挟まれて固定されるようにする。【選択図】図１
2007322548.tif 000002
【特許請求の範囲】
【請求項１】
外周面にねじ溝が形成された第１の筒体と、該第１の筒体のねじ溝に螺合するねじ溝が内周面に形成された第２の筒体と、該第２の筒体に設けられ、該第２の筒体内に同軸的に収容されたレンズの一面の縁部分に当接するレンズ押え部とを備え、前記第１の筒体及び第２の筒体をねじ溝に沿って回転させて螺合させ、前記第１の筒体の一端部分及び前記第２の筒体の前記レンズ押え部の間に前記レンズを挟んで固定するレンズ固定構造において、
前記第１の筒体の外周面に設けられた第１の爪部と、
前記第２の筒体の内周面に設けられ、前記第１の爪部に係合して前記第１の筒体及び第２の筒体の螺合を解除する方向への回転を係止する第２の爪部と
を備え、
前記第１の爪部及び第２の爪部の係合により、前記レンズを取り外し不可能に固定してあること
を特徴とするレンズ固定構造。
【請求項２】
前記第１の爪部は、前記第１の筒体の外周面に、周方向に沿って複数並設してある請求項１に記載のレンズ固定構造。
【請求項３】
前記第２の爪部は、前記第２の筒体の内周面に、周方向に沿って複数並設してある請求項１又は請求項２に記載のレンズ固定構造。
【請求項４】
前記第１の爪部は、前記第１の筒体のねじ溝を間にして前記一端部分の反対側に設けてあり、
前記第２の爪部は、前記第２の筒体のねじ溝を間にして前記レンズ押え部の反対側に設けてある請求項１乃至請求項３のいずれか１つに記載のレンズ固定構造。
【請求項５】
前記第２の爪部の最内部分は、前記第２の筒体のねじ溝の最外部分より外側に位置するようにしてある請求項４に記載のレンズ固定構造。
【請求項６】
前記第１の爪部は、軸心方向の幅寸法が、前記第２の爪部の幅寸法より大きい請求項１乃至請求項５のいずれか１つに記載のレンズ固定構造。
【請求項７】
前記第２の爪部は、軸心方向の幅寸法が、前記第１の爪部の幅寸法より大きい請求項１乃至請求項５のいずれか１つに記載のレンズ固定構造。
【請求項８】
前記第１の筒体の前記レンズとの接触部分に、密封環体が設けてある請求項１乃至請求項７のいずれか１つに記載のレンズ固定構造。
【発明の詳細な説明】
【技術分野】
【０００１】
本発明は、カメラ又は望遠鏡等のレンズを有する機器において、レンズを確実に固定することができるレンズ固定構造に関する。
【背景技術】
【０００２】
図７は、従来のレンズ固定構造の構成を示す模式的断面図である。図において１は、略円盤型をなし、一側に凸面を有するレンズである。レンズ１は鏡筒をなす内筒１１０及び外筒１２０により保持されて固定され、例えば図示しないＣＣＤへ光を集光するようにしてある。内筒１１０は、レンズ１の直径に略等しい外径を有する円筒であり、外周面にはねじ溝１１１が形成されている。外筒１２０は内径が内筒１１０の外径に略等しい円筒であり、外筒１２０の一端には、開口の径を狭めるように内側へ向けて、開口の全周に亘ってレンズ押え部１２２が庇状に設けられている。また、外筒１２０の他端側の内周面には、内筒１１０のねじ溝１１１に螺合するねじ溝１２１が形成されている。
【０００３】
内筒１１０の一端にレンズ１の他面（凸面でない側の面）を当接させ、レンズ１及び内筒１１０に外筒１２０をねじ溝１２１が設けられた側から被せ、外筒１２０を回転させて内筒１１０のねじ溝１１１及び外筒１２０のねじ溝１２１を螺合させることによって、レンズ１を内筒１１０の一端及び外筒１２０のレンズ押え部１２２で挟んで固定することができるようにしてある。レンズ１は、内筒１１０のねじ溝１１１及び外筒１２０のねじ溝１２１の螺合により強固に固定される。
【０００４】
また、ねじ溝の螺合によりレンズを固定するのではなく、ねじ溝の形成されていない外筒及び内筒を合成樹脂により成型し、外筒及び内筒を加熱して溶接することにより、レンズを強固に固定する方法がある。更には、外筒及び内筒を接着剤により接着する方法もある。
【０００５】
特許文献１においては、先端部分及び後端部分がねじ切りされ、先端部分が被締結品に螺合するボルトと、ボルトの軸方向に摺動可能に嵌合し、被締結品に接する面の外周部に歯列を有する回り止め円板と、回り止め円板の歯列に噛合する歯列を有し、被締結品に固着された拘束体と、ボルトの後端部分に螺合し、回り止め円板を被締結品に押圧するナットとを備える回り止め機構を有するボルトが提案されている。この回り止め機構を有するボルトは、まずボルトの先端部分を被締結品に螺合させ、次いでナットをボルトの後端部分に螺合させて回り止め円板を被締結品の拘束体に噛合させることによって、ボルトが緩む方向へ回転することを防止できる。
【特許文献１】特開平９−１９６０４３号公報
【発明の開示】
【発明が解決しようとする課題】
【０００６】
図７に示すレンズ固定構造が、例えば車両に搭載される車載カメラのレンズを固定する目的で使用された場合、車両の走行に伴う振動により内筒１１０のねじ溝１１１及び外筒１２０のねじ溝１２１の螺合が緩んでレンズ１の固定位置にずれが生じるなどの虞がある。
【０００７】
また、外筒及び内筒を加熱して溶接する場合、加熱用の設備が必要であり、加熱工程が必要であるため製造工程の工数が増し、コストが増大するという問題がある。同様に、外筒及び内筒を接着剤により接着する場合、接着剤及び接着剤を塗布する設備が必要であり、接着剤の塗布工程が必要であるため製造工程の工数が増し、コストが増大するという問題がある。
【０００８】
特許文献１に記載の回り止め機構を有するボルトに用いられている回り止め機構を、図７に示すレンズ固定構造の内筒１１０及び外筒１２０の回り止めに応用した場合、拘束体、回り止め円板及びボルト等の部品が必要であるため部品点数が増し、コストが増大すると共に、鏡筒が大型化するという問題がある。また、ボルトには回り止めの機構が設けられていないため、ボルトが緩んだ場合には回り止め円板による回り止めが解除される虞があり、ボルトの締め具合に回り止めの確度が影響されるという問題がある。
【０００９】
本発明は、斯かる事情に鑑みてなされたものであって、その目的とするところは、外周面にねじ溝が形成された第１の筒体（内筒）と、内周面にねじ溝が形成された第２の筒体（外筒）とを螺合させてレンズを挟んで固定する場合に、第１の筒体の外周面に第１の爪部を設け、第２の筒体の内周面に第２の爪部を設け、第１の爪部及び第２の爪部の係合により第１の筒体及び第２の筒体の螺合を解除する方向への回転を係止する構成とすることにより、レンズを簡単且つ確実に固定することができるレンズ固定構造を提供することにある。
【００１０】
また本発明の他の目的とするところは、第１の筒体の外周面に、周方向に沿って第１の爪部を複数並設する構成とすることにより、第１の筒体及び第２の筒体を螺合させる回転に伴って、第１の筒体の回転位置に関わらず、第１の爪部及び第２の爪部を簡単に係合させることができるレンズ固定構造を提供することにある。
【００１１】
また本発明の他の目的とするところは、第２の筒体の内周面に、周方向に沿って第２の爪部を複数並設する構成とすることにより、第１の筒体及び第２の筒体を螺合させる回転に伴って、第２の筒体の回転位置に関わらず、第１の爪部及び第２の爪部を簡単に係合させることができるレンズ固定構造を提供することにある。
【００１２】
また本発明の他の目的とするところは、ねじ溝を間にしてレンズを挟む位置の反対側に、第１の爪部及び第２の爪部をそれぞれ設ける構成とすることにより、第１の筒体及び第２の筒体の螺合が行いやすいレンズ固定構造を提供することにある。
【００１３】
また本発明の他の目的とするところは、第２の爪部の最内部分がねじ溝の最外部分より外側となるように、第２の爪部を第２の筒体に設ける構成とすることにより、第２の爪部及びこれに係合する第１の爪部が、第１の筒体及び第２の筒体を螺合させるときの妨げとならないレンズ固定構造を提供することにある。
【００１４】
また本発明の他の目的とするところは、軸心方向に関して、第１の爪部を第２の爪部より幅広にすることによって、軸心方向に第１の爪部及び第２の爪部の係合位置が若干ずれた場合であっても、レンズの固定を確実に行うことができるレンズ固定構造を提供することにある。
【００１５】
また本発明の他の目的とするところは、軸心方向に関して、第２の爪部を第１の爪部より幅広にすることによって、軸心方向に第１の爪部及び第２の爪部の係合位置が若干ずれた場合であっても、レンズの固定を確実に行うことができるレンズ固定構造を提供することにある。
【００１６】
また本発明の他の目的とするところは、第１の筒体とレンズとの接触部分に密封環体を設ける構成とすることにより、第１の筒体の筒内に水などが浸入することを防止できるレンズ固定構造を提供することにある。
【課題を解決するための手段】
【００１７】
第１発明に係るレンズ固定構造は、外周面にねじ溝が形成された第１の筒体と、該第１の筒体のねじ溝に螺合するねじ溝が内周面に形成された第２の筒体と、該第２の筒体に設けられ、該第２の筒体内に同軸的に収容されたレンズの一面の縁部分に当接するレンズ押え部とを備え、前記第１の筒体及び第２の筒体をねじ溝に沿って回転させて螺合させ、前記第１の筒体の一端部分及び前記第２の筒体の前記レンズ押え部の間に前記レンズを挟んで固定するレンズ固定構造において、前記第１の筒体の外周面に設けられた第１の爪部と、前記第２の筒体の内周面に設けられ、前記第１の爪部に係合して前記第１の筒体及び第２の筒体の螺合を解除する方向への回転を係止する第２の爪部とを備え、前記第１の爪部及び第２の爪部の係合により、前記レンズを取り外し不可能に固定してあることを特徴とする。
【００１８】
本発明においては、外周面にねじ溝が形成された第１の筒体と、内周面にねじ溝が形成され、レンズ押え部が設けられた第２の筒体とを螺合させ、第１の筒体の一端部分及び第２の筒体のレンズ押え部にレンズを挟んで固定する。更に、第１の筒体の外周面に第１の爪部を設け、第２の筒体の内周面に、第１の爪部に係合して第１の筒体及び第２の筒体の螺合を解除する方向への回転を係止する第２の爪部を設ける。第１の筒体及び第２の筒体を回転により螺合させることに伴って、第１の爪部及び第２の爪部が係合し、反対方向への回転を不可能に係止するため、第１の筒体及び第２の筒体の螺合が緩むことを防止できる。
【００１９】
また、第２発明に係るレンズ固定構造は、前記第１の爪部が、前記第１の筒体の外周面に、周方向に沿って複数並設してあることを特徴とする。
【００２０】
本発明においては、第１の筒体の外周面に、周方向に沿って第１の爪部を複数並設する。第１の筒体及び第２の筒体を螺合させる場合に、第２の筒体に対する第１の筒体の周方向の位置に関わらず、複数の第１の爪部のいずれかが第２の爪部に係合する。これにより、第１の筒体及び第２の筒体の螺合を解除する方向への回転をより確実に防止できる。
【００２１】
また、第３発明に係るレンズ固定構造は、前記第２の爪部が、前記第２の筒体の内周面に、周方向に沿って複数並設してあることを特徴とする。
【００２２】
本発明においては、第２の筒体の内周面に、周方向に沿って第２の爪部を複数並設する。第１の筒体及び第２の筒体を螺合させる場合に、第１の筒体に対する第２の筒体の周方向の位置に関わらず、複数の第２の爪部のいずれかが第１の爪部に係合する。これにより、第１の筒体及び第２の筒体の螺合を解除する方向への回転をより確実に防止できる。
【００２３】
また、第４発明に係るレンズ固定構造は、前記第１の爪部が、前記第１の筒体のねじ溝を間にして前記一端部分の反対側に設けてあり、前記第２の爪部は、前記第２の筒体のねじ溝を間にして前記レンズ押え部の反対側に設けてあることを特徴とする。
【００２４】
本発明においては、第１の筒体には、ねじ溝を間にしてレンズに当接する一端部分の反対側に第１の爪部を設ける。第２の筒体には、ねじ溝を間にしてレンズ押え部の反対側に第２の爪部を設ける。レンズを第１の筒体及び第２の筒体で固定する場合に、第１の筒体及び第２の筒体を螺合させる初期段階では、第１の爪部及び第２の爪部が係合することがなく、螺合のための回転が行いやすい。また、螺合の最終段階では、第１の爪部及び第２の爪部が係合し、反対方向への回転を係止することができる。
【００２５】
また、第５発明に係るレンズ固定構造は、前記第２の爪部の最内部分が、前記第２の筒体のねじ溝の最外部分より外側に位置するようにしてあることを特徴とする。
【００２６】
本発明においては、第２の爪部の最内部分がねじ溝の最外部分より外側となるように、第２の爪部を第２の筒体に設ける。これにより、ねじ溝の螺合位置より第１の爪部及び第２の爪部の係合位置が外側となるため、ねじ溝を間にしてレンズを挟む位置の反対側に第１の爪部及び第２の爪部を設けた場合に、第２の爪部がねじ溝の螺合の妨げとならない。
【００２７】
また、第６発明に係るレンズ固定構造は、前記第１の爪部が、軸心方向の幅寸法が、前記第２の爪部の幅寸法より大きいことを特徴とする。
【００２８】
本発明においては、軸心方向に関して、第１の爪部を第２の爪部より幅広にする。第１の筒体及び第２の筒体を螺合させる回転によって、第１の爪部及び第２の爪部は第１の筒体の軸心方向の所定位置にて係合するが、第１の爪部を幅広にすることで軸心方向に関する係合位置に幅を持たせることができる。よって、第１の筒体及び第２の筒体を螺合させる回転の最終段階のみでなく、途中段階から逆方向への回転を係止できる。また、レンズ、第１の筒体又は第２の筒体等の形状に誤差が生じ、第１の爪部及び第２の爪部の係合位置がずれた場合であっても、確実に逆方向への回転を係止できる。
【００２９】
また、第７発明に係るレンズ固定構造は、前記第２の爪部が、軸心方向の幅寸法が、前記第１の爪部の幅寸法より大きいことを特徴とする。
【００３０】
本発明においては、軸心方向に関して、第２の爪部を第１の爪部より幅広にする。第１の筒体及び第２の筒体を螺合させる回転によって、第１の爪部及び第２の爪部は第２の筒体の軸心方向の所定位置にて係合するが、第２の爪部を幅広にすることで軸心方向に関する係合位置に幅を持たせることができる。よって、第１の筒体及び第２の筒体を螺合させる回転の最終段階のみでなく、途中段階から逆方向への回転を係止できる。また、レンズ、第１の筒体又は第２の筒体等の形状に誤差が生じ、第１の爪部及び第２の爪部の係合位置がずれた場合であっても、確実に逆方向への回転を係止できる。
【００３１】
また、第８発明に係るレンズ固定構造は、前記第１の筒体の前記レンズとの接触部分に、密封環体が設けてあることを特徴とする。
【００３２】
本発明においては、第１の筒体とレンズとの接触部分に密封環体を設ける。第１の筒体とレンズとの接触部分は環状となるため、密閉環体により第１の筒体内に水などが浸入することを防止できる。特に、車載カメラにおいては、車両が雨天時に走行した場合に、雨水が浸入して故障の原因となる可能性があるが、これを防止することができる。
【発明の効果】
【００３３】
第１発明による場合は、第１の筒体の外周面にねじ溝及び第１の爪部を設け、第２の筒体の内周面にねじ溝及び第２の爪部を設け、第１の爪部及び第２の爪部の係合により第１の筒体及び第２の筒体の螺合を解除する方向への回転を係止する構成とすることにより、第１の筒体及び第２の筒体を回転により螺合させることに伴って、第１の爪部及び第２の爪部が係合し、反対方向への回転を不可能に係止することができる。よって、第１の筒体及び第２の筒体に挟まれたレンズを確実に固定することができ、この固定構造を例えば車載カメラに適用した場合に、車両の走行に伴う振動によって第１の筒体及び第２の筒体の螺合が緩んでレンズがずれることがなく、車載カメラの信頼性を向上することができる。
【００３４】
また、第２発明による場合は、第１の筒体の外周面に、周方向に沿って第１の爪部を複数並設する構成とすることにより、第２の筒体に対する第１の筒体の周方向の位置に関わらず、複数の第１の爪部のいずれかが第２の爪部に係合するため、第１の爪部及び第２の爪部を簡単に係合させることができ、第１の筒体及び第２の筒体の螺合を解除する方向へ回転することを確実に防止できる。よって、レンズの固定の信頼性を高めることができ、この固定構造を適用した機器の信頼性を向上できる。
【００３５】
また、第３発明による場合は、第２の筒体の内周面に、周方向に沿って第２の爪部を複数並設する構成とすることにより、第１の筒体に対する第２の筒体の周方向の位置に関わらず、複数の第２の爪部のいずれかが第１の爪部に係合するため、第１の爪部及び第２の爪部を簡単に係合させることができ、第１の筒体及び第２の筒体の螺合を解除する方向へ回転することを確実に防止できる。よって、レンズの固定の信頼性を高めることができ、この固定構造を適用した機器の信頼性を向上できる。
【００３６】
また、第４発明による場合は、ねじ溝を間にしてレンズを挟む位置の反対側に、第１の爪部及び第２の爪部をそれぞれ設ける構成とすることにより、第１の筒体及び第２の筒体を螺合させる初期段階では、第１の爪部及び第２の爪部が係合することがなく、螺合のための回転が行いやすく、また、螺合の最終段階では、第１の爪部及び第２の爪部が係合し、反対方向への回転を係止することができる。よって、第１の筒体及び第２の筒体の螺合が行いやすく、レンズを固定する作業が行いやすい。
【００３７】
また、第５発明による場合は、第２の爪部の最内部分がねじ溝の最外部分より外側となるように、第２の爪部を第２の筒体に設ける構成とすることにより、ねじ溝の螺合位置より第１の爪部及び第２の爪部の係合位置が外側となるため、ねじ溝を間にしてレンズを挟む位置の反対側に第１の爪部及び第２の爪部を設けた場合に、第２の爪部がねじ溝の螺合の妨げとならない。よって、第１の筒体及び第２の筒体の螺合が行いやすく、レンズを固定する作業が行いやすい。
【００３８】
また、第６発明による場合は、第１の筒体の軸心方向に関して、第１の爪部を第２の爪部より幅広にすることによって、第１の筒体及び第２の筒体を螺合させる回転の最終段階のみでなく、途中段階から逆方向への回転を係止できるため、確実に逆方向への回転を係止できる。また、レンズ、第１の筒体又は第２の筒体等の形状に誤差が生じ、第１の爪部及び第２の爪部の係合位置がずれた場合であっても、確実に逆方向への回転を係止できるため、レンズの固定の信頼性を高めることができ、この固定構造を適用した機器の信頼性を向上できる。
【００３９】
また、第７発明による場合は、第２の筒体の軸心方向に関して、第２の爪部を第１の爪部より幅広にすることによって、第１の筒体及び第２の筒体を螺合させる回転の最終段階のみでなく、途中段階から逆方向への回転を係止できるため、確実に逆方向への回転を係止できる。また、レンズ、第１の筒体又は第２の筒体等の形状に誤差が生じ、第１の爪部及び第２の爪部の係合位置がずれた場合であっても、確実に逆方向への回転を係止できるため、レンズの固定の信頼性を高めることができ、この固定構造を適用した機器の信頼性を向上できる。
【００４０】
また、第８発明による場合は、第１の筒体とレンズとの接触部分に密封環体を設ける構成とすることにより、第１の筒体の筒内に水などが浸入することを防止できるため、この固定構造を適用した機器の故障発生率を低下させることができる。
【発明を実施するための最良の形態】
【００４１】
以下、本発明をその実施の形態を示す図面に基づき具体的に説明する。図１は、本発明に係るレンズ固定構造の構成を示す模式的断面図である。図において１は略円盤型をなすレンズであり、レンズ１の一側の面は凸面にしてあり、他側の面は平面又は凹面にしてある。また、レンズ１の周縁部分は両側の面共に平面にしてある。
【００４２】
レンズ１は鏡筒の一部分をなす合成樹脂製の内筒１０及び外筒２０により保持されて固定されるようにしてある。内筒１０はレンズ１の直径に略等しい外径を有する円筒である。内筒１０の一側の端面は、レンズ１の他面を当接させた場合に、レンズ１の周縁の平面部分に略隙間なく接触するようにしてある。また、内筒１０の他側の端面には、内筒１０より外径が小さい連結筒３０が連結してある。なお、内筒１０及び連結筒３０の内径は略等しくしてある。
【００４３】
内筒１０の他端近傍の外周面には、周方向に沿って複数の内爪１３（詳細は後述する）が略等間隔に並設されている。また、内筒１０の外周面には、内爪１３が設けられた位置から一端側へかけて、ねじ溝１１が外周面を数周に亘って形成してある。
【００４４】
外筒２０は、内筒１０の外径より若干大きいか又は略等しい大きさの内径を有する円筒であり、内部にレンズ１及び内筒１０を収容することができる大きさにしてある。外筒２０の一端には、中央に外筒２０の内径より小さい直径の開口を有する円板状のレンズ押え部２２が、外筒２０の一端の開口径を狭めるように内側へ向けて庇状に設けられている。外筒２０の他端近傍の内周面には、内筒１０の内爪１３に係合する４つの外爪２３（詳細は後述する）が、周方向に沿って略等間隔に並設されている。また、外筒２０の内周面には、レンズ押え部２２及び外爪２３の間に、内筒１０のねじ溝１１に螺合するねじ溝２１が、内周面を数周に亘って形成してある。
【００４５】
図２は、図１のＩＩ−ＩＩ線による断面図であり、内爪１３及び外爪２３の構成を示す模式的断面図である。内筒１０の内爪１３は、断面が略直角三角形の略楔形をなしており、内筒１０の径方向に設けられた径方向面１４及び径方向面１４の最外端から内筒１０の外周面へ周方向に傾斜した傾斜面１５を有している。また、内筒１０の外周面には、複数の内爪１３が、外周面の周方向に略隙間なく同じ向きに並設してある。
【００４６】
外筒２０の外爪２３は、内筒１０の内爪１３と略同じ形状であり、断面が略直角三角形の略楔形をなしている。ただし、外筒２０の外爪２３は、内筒１０の内爪１３より、外筒２０の軸方向に関して幅が小さくしてある（図１参照）。外爪２３は、外筒２０の内側へ径方向に設けられた径方向面２４及び径方向面２４の最内端から外筒２０の内周面へ周方向に傾斜した傾斜面２５を有している。また、外筒２０の内周面には、４つの外爪２３が略等間隔で同じ向きに並設してある。
【００４７】
また、内筒１０及び外筒２０をねじ溝１１及びねじ溝２１により螺合させた状態では、内爪１３の傾斜面１５の傾斜方向と、外爪２３の傾斜面２５の傾斜方向とが反対方向となるようにしてあり、内爪１３の最外端が、外爪２３の最内端より外側の位置となるようにしてある。なお、外爪２３の最内端は、外筒２０のねじ溝２１の最外端より外側となるようにしてあるため（図１参照）、内筒１０を外筒２０に螺合させる際に、内筒１０のねじ溝１１が外筒２０の外爪２３に接触することなく螺合を行うことができるようにしてある。
【００４８】
図中の矢印Ａの方向に外筒２０を回転させた場合、又は矢印Ｂの方向に内筒１０を回転させた場合には、回転に伴って内爪１３の傾斜面１５と外爪２３の傾斜面２５とが当接する。この状態では回転に対する抵抗が増すが、若干大きな力を矢印Ａ又は矢印Ｂの方向へ加えることによって、内筒１０又は外筒２０の若干の弾性変形を伴って、内筒１０又は外筒２０を更に回転させることができる。
【００４９】
矢印Ａの反対方向に外筒２０を回転させようとした場合、又は矢印Ｂの反対方向に内筒１０を回転させようとした場合には、回転に伴って内爪１３の径方向面１４と外爪２３の径方向面２４とが当接し、内爪１３及び外爪２３が係合する。径方向面１４及び径方向面２４は、回転方向に略直交する方向に設けられているため、この状態では更に内筒１０及び外筒２０を回転させることはできない。
【００５０】
図３は、レンズ１の固定手順の一例を示す模式図である。レンズ１の固定を行う場合、まず、レンズ１の他面（凸面でない面）を内筒１０の一側（連結筒３０が連結された側の反対側）の端面に当接させる。次いで、レンズ１及び内筒１０に、外筒２０を外爪２３が設けられた側から被せ、外筒２０を回転させて内筒１０のねじ溝１１及び外筒２０のねじ溝２１を螺合させる。更に外筒２０の回転を継続して行うと、外爪２３の傾斜面２５が内爪１３の傾斜面１５に当接し、この状態では若干大きな力を加えて外筒２０を回転させ、内筒１０及び外筒２０の螺合を行う。その後、内筒１０が外筒２０内に収まり、レンズ１の一面の周縁の平面部分が外筒２０のレンズ押え部２２に当接する状態とすることによって、レンズ１は内筒１０の一側の端面及び外筒２０のレンズ押え部２２の間に挟まれて固定される。この状態では、内筒１０及び外筒２０の螺合を解除する方向に外筒２０を回転させることはできないため、レンズ１は取り外し不可能となる。
【００５１】
図４は、内筒１０の内部構成を示す模式的断面図である。内筒１０の内径及び連結筒３０の内径は略等しくしてあり、内筒１０の内部及び連結筒３０の内部は連通している。内筒１０及び連結筒３０の内部空間には、複数のレンズ２、３、４等が所定の間隔を隔てて配設できるようにしてある。
【００５２】
また、内筒１０の一側の端面には、レンズ２、３、４を配設するための内部空間に連通する開口の周囲を囲んで、ゴム又はフッ素樹脂等により成型された密封環体４０が配されている。密封環体４０は、内筒１０及び外筒２０が螺合してレンズ１を挟んで固定した場合に、レンズ１の他面及び内筒１０の一側の端面の間に介在し、レンズ１の他面及び内筒１０の一側の端面に密着するようにしてある。これにより、密封環体４０の内側、即ち内筒１０の内部に水などが浸入することを防止するようにしてある。
【００５３】
以上の構成のレンズ固定構造においては、内筒１０の外周面に断面が略直角三角形の内爪１３を周方向に複数並設し、外筒２０の内周面に断面が略直角三角形の外爪２３を４つ配設する構成とすることにより、内筒１０及び外筒２０を螺合させることによって内爪１３及び外爪２３が係合し、螺合を解除する方向への回転を係止することができるため、内筒１０及び外筒２０に挟まれて固定されたレンズ１にずれなどが生じることがない。このレンズ固定構造を例えば車載カメラに適用した場合には、車両の振動によりレンズのずれが発生することを防止できるため、車載カメラの信頼性を向上できる。更に、レンズ１の他面及び内筒１０の一側の端面の間に密封環体４０を配して密着させる構成とすることによって、内筒１０内に水などが浸入することを防止できるため、車載カメラの信頼性をより向上できる。また、外筒２０の軸方向に関して、外筒２０の外爪２３の幅を内筒１０の内爪１３より小さくすることによって、外爪２３及び内爪１３の係合位置が軸方向に関して多少ずれた場合であっても、内筒１０及び外筒２０の螺合を解除する方向への回転を係止することができる。
【００５４】
なお、本実施の形態においては、内筒１０の内爪１３及び外筒２０の外爪２３は断面が略直角三角形としたが、これに限るものではなく、内筒１０又は外筒２０の回転方向を一方向に規制することができる形状であればよい。また、内爪１３及び外爪２３は、内筒１０及び外筒２０の他側に設ける構成としたが、これに限るものではなく、内筒１０及び外筒２０の一側に設ける構成としてもよい。また、密封環体４０は設けない構成であってもよい。また、内筒１０及び連結筒３０の内部に設けるレンズ２、３、４の構成は一例であって、これに限るものではなく、その他の構成であってもよく、内筒１０及び連結筒３０の内部にレンズを設けない構成であってもよい。また、外筒２０に外爪２３を４つ設ける構成としたが、これに限るものではなく３つ以下又は５つ以上の外爪２３を設ける構成としてもよい。また、図３においては、外筒２０を回転させることによって、内筒１０のねじ溝１１及び外筒２０のねじ溝２１による螺合を行う手順を示したが、これに限るものではなく、内筒１０を回転させることによって螺合を行ってもよい。
【００５５】
（変形例１）
図５は、本発明の変形例１に係るレンズ固定構造の構成を示す模式的断面図である。変形例１に係るレンズ固定構造の内筒１０ａは、一端側の端面にレンズ１を当接させるようにしてあり、他側の端面には連結筒３０が連結されている。内筒１０ａの他端近傍の外周面には、周方向に沿って複数の内爪１３ａが略等間隔に並設されており、内爪１３ａが設けられた位置から一端側へかけての外周面にはねじ溝１１が形成されている。また、内筒１０ａのねじ溝１１に螺合するねじ溝２１が内周面に形成された外筒２０ａには、一端側にレンズ押え部２２が設けられ、他端近傍の内周面に内筒１０ａの内爪１３ａに係合する外爪２３ａが周方向に沿って略等間隔に並設されている。
【００５６】
また、図１に示すレンズ固定構造の外筒２０の外爪２３は、内筒１０の内爪１３より、外筒２０の軸方向に関して幅が小さくしてあるが、図５に示す変形例１に係るレンズ固定構造の外筒２０ａの外爪２３ａは、内筒１０ａの内爪１３ａより、外筒２０ａの軸方向に関して幅が大きくしてある。この構成では、図１に示すレンズ固定構造と同様に、外爪２３ａ及び内爪１３ａの係合位置が軸方向に関して多少ずれた場合であっても、内筒１０ａおよび外筒２０ａの螺合を解除する方向への回転を係止することができる。
【００５７】
（変形例２）
図６は、本発明の変形例２に係るレンズ固定構造の構成を示す模式的断面図である。変形例２に係るレンズ固定構造の内筒１０ｂの外周面には、断面が略直角三角形をなす４つの内爪１３ｂが周方向に等間隔に設けてあり、外筒２０ｂの内周面には、断面が略直角三角形をなす複数の外爪２３ｂが周方向に略隙間なく並設してある。このように、外筒２０ｂの外爪２３ｂの配設数が内筒１０ｂの内爪１３ｂの配設数より多い構成であっても、図２に示すレンズ固定構造と同様の効果を得ることができる。
【図面の簡単な説明】
【００５８】
【図１】本発明に係るレンズ固定構造の構成を示す模式的断面図である。
【図２】図１のＩＩ−ＩＩ線による断面図であり、内爪及び外爪の構成を示す模式的断面図である。
【図３】レンズの固定手順の一例を示す模式図である。
【図４】内筒の内部構成を示す模式的断面図である。
【図５】本発明の変形例１に係るレンズ固定構造の構成を示す模式的断面図である。
【図６】本発明の変形例２に係るレンズ固定構造の構成を示す模式的断面図である。
【図７】従来のレンズ固定構造の構成を示す模式的断面図である。
【符号の説明】
【００５９】
１  レンズ
１０  内筒（第１の筒体）
１１  ねじ溝
１３  内爪（第１の爪部）
２０  外筒（第２の筒体）
２１  ねじ溝
２２  レンズ押え部
２３  外爪（第２の爪部）
４０  密封環体
【図１】
2007322548.tif 000003
【図２】
2007322548.tif 000004
【図３】
2007322548.tif 000005
【図４】
2007322548.tif 000006
【図５】
2007322548.tif 000007
【図６】
2007322548.tif 000008
【図７】
2007322548.tif 000009